(57)【要約】  ソファフレーム（２）と、着座部（４）と、背もたれ（３）と、を含む長椅子である。着座部（４）は、サイドバー（９ａ、９ｂ）と、クロスバー（１０ａ、１０ｂ）と、シートスプリング（７）とを含む。着座部（４）は、取り付け具（８ａ、８ｂ）により、着座部の着座面の下方で、ソファフレーム（２）と回転可能に連結される。一つ以上の平衡スプリング（１４）が、着座部（４）とソファフレーム（２）との間に配置される。シャッターまたはフラップ（１６）が、回転可能な連結部（１７ａ、１７ｂ）により、着座部に回転可能に取り付けられる。さらに、フラップは、前記連結部とは反対側の端部で、ソファフレームに回転可能に取り付けられる。【選択図】図２
2013530786.tif 000002
【特許請求の範囲】
【請求項１】
ソファフレーム（２）と、着座部（４）と、背もたれ（３）と、を含み、前記着座部（４）がサイドバー（９ａ、９ｂ）と、クロスバー（１０ａ、１０ｂ）と、シートスプリング（７）とを含む、長椅子であって、
前記背もたれ（３）は固定され、前記着座部（４）は、取り付け具（８ａ、８ｂ）により、前記着座部の着座面の下方で、前記ソファフレーム（２）に回転可能に連結され、一つ以上の平衡スプリング（１４）が、前記着座部（４）と前記ソファフレーム（２）との間に配置され、シャッターまたはフラップ（１６）が、回転可能な連結部（１７ａ、１７ｂ）により、前記着座部に回転可能に取り付けられ、前記フラップが、前記連結部（１７ａ、１７ｂ）とは反対側の端部の連結部（１８ａ、１８ｂ）で、前記ソファフレームに回転可能に取り付けられること、
を特徴とする長椅子。
【請求項２】
前記回転可能な連結部（１７ａ、１７ｂ）が、弾性である、
請求項１に記載の長椅子。
【請求項３】
回転可能な取り付け配置（８）が、前記ソファフレーム（２）の前端から略1/3の距離に配置される、
請求項１に記載の長椅子。
【請求項４】
両端が円錐状のチューブ状に形成されたスリーブまたはパイプソケット（１９）と、前記パイプソケットの中央部に配置されるカラー（２０）と、を含み、適切なポリマー材料で形成されること、
を特徴とする弾性連結部（１７）。
【請求項５】
前記チューブ状に形成されたスリーブが、該スリーブを完全にまたは部分的に密封する内部壁（２１）を含む、
請求項４に記載の弾性連結部。
【発明の詳細な説明】
【技術分野】
【０００１】
本発明は、シェーズロングとも呼ばれる長椅子と、該長椅子での使用に適した弾性連結部とに関する。
【背景技術】
【０００２】
足乗せ部またはシャッター３と、それにヒンジ連結された着座部２と、それにヒンジ連結された背もたれ５と、を含む、ベッド、ソファ、または長椅子で用いられる調整可能な台座が、引用文献１で知られている。背もたれは、着座部へのヒンジ連結部の真上の、背もたれの下方の回転連結部において、ヒンジ連結されている。同様に、着座部は、回転連結部にヒンジ連結され、 この回転連結部には、背もたれに対する長手方向の移動を吸収するためのスライド機構もある。同様の理由により、シャッターの下部も、スライドガイドに取り付けられている。背もたれとシートとの間の角度は、プリセット位置で調整可能である。該角度は、各位置でロックされる。
【発明の概要】
【発明が解決しようとする課題】
【０００３】
本発明の目的は、体重の再分配により使用中に再調整が容易な、長椅子を提供することである。さらに、本発明の目的は、可動部品数が多過ぎない、基本的でロバストなデザインを有する調整可能な長椅子を提供することである。
【課題を解決するための手段】
【０００４】
その構造は、取り付け及び維持が容易な、ヒンジ連結部を有する。長椅子、及び、作動負荷及び／または一人以上の動く人等の相当な負荷に曝される、傾斜角度が変えられる部品を有する他の家具での使用に適した、回転連結部を提供することも、本発明の目的である。
【０００５】
連結部の磨耗が少なく、その結果、連結部の耐久性が高い、家具用の連結部が必要である。さらに、製造コストをより低くするために、相対的に簡易な連結部のデザインの提供が望まれている。また、負荷がかかり、回転または傾斜された場合に、きしみ音を立てない、静寂性の高い連結部の提供も、本発明の目的である。
【０００６】
これらは、請求項１による長椅子と、請求項４による弾性連結部とにより、達成される。
【０００７】
シート座面姿勢調整は、添付図面における実施形態により、さらに説明される。
【図面の簡単な説明】
【０００８】
【図１】本発明による長椅子の平面図、長手方向断面図、及び横断面図を示す。
【図２】着座部が第二ポジションにある長椅子を示す。
【図３】（ａ）は、長椅子の部品である弾性連結部の斜視図、（ｂ）は横断面図を示す。
【発明を実施するための形態】
【０００９】
図１は、本発明による長椅子を示す。この長椅子は、固定された背もたれ３と、ボトムフレーム６を備えた着座部４と、シートスプリング７と、回転可能な取り付け具８ａ、ｂと、を含む。本実施形態のシートフレームまたはボトムフレーム６は、長椅子の長手方向に平行な辺に配置される、２つの主たる真直ぐで平行なサイドバー９ａ、９ｂと、四辺形の残りの２辺に沿って配置される２つのクロスバー１０ａ、１０ｂと、を形成する四辺を有する、四辺形の形状を有する。シートスプリング７は、サイドバー９ａと９ｂとの間で、ボトムフレーム６に亘って延伸され、これにより、弾力性のある着座平面を形成し、その上に、クッション等が配置可能である。着座部は、回転可能な取り付け具８ａ、ｂにより、ソファ２のフレームに取り付けられる。より詳細には、ボトムフレームは、ボトムフレームの周辺部に亘って延在する第三のクロスバー１０ｃを有し、このクロスバーの端部は、ソファフレームの取り付け具８ａ、ｂに懸架されている。取り付け具は、木または金属等の適切な材料で製造可能なベアリングブロックの形状であるが、ここでは、プラスティック材料で作られることが好ましい。第三のクロスバーは、さらなる補強部品を形成するが、そうでなければ、懸架配置は、取り付け具をソファフレームに固定する代わりに、例えば短いパイプソケットをフレームに溶接する等、簡単な方法で行うことができる。
【００１０】
図示する実施形態では、取り付け具８ａ、ｂは、支点連結部が、足をそろえ、背中を長椅子の背もたれにもたれさせている普通の状態で座っているユーザーの膝とヒップとの間にあるように、着座部４を通る中心軸に対して非対称でフレームに取り付けられる。例えば、取り付け具は、着座部の前端部から背もたれに向かう距離の1/3に配置されてもよい。取り付け具８をこのように配置するのは、取り付け具が自動平衡傾斜を行うことを目的としているためである。取り付け具は、傾斜が、バランススプリング１４と協働する、取り付け機構と、その配置とにより、規制されるため、ロックまたは調整ブレーキを備えないことが好ましい。しかしながら、長椅子は、着座部の揺れを抑制する、ある種の最終停止機構を備えてもよい。
【００１１】
この長椅子は、バランススプリング１４を備えている。図では、このバランススプリングは、背もたれの下方の、ボトムフレームと、ソファフレームとの間に配置されている。しかしながら、バランススプリング１４は、背もたれの下方の、ソファフレームの側の代わりに、ソファフレーム２のサイドパネルに沿って配置されてもよい。本発明によるシート座面姿勢調整を構築する当業者は、ユーザーに対して着座部の傾斜を快適にするために、着座部における所望のバランスと、傾斜に対する十分な抵抗力とを得るのに最も適切な場所に、スプリングデバイスを自由に配置することができる。フラットコイルスプリング、リーフスプリング、ラバーバンド具または配置、トーションスプリング等の、他のスプリングデバイスが用いられてもよい。クロスバーの端部にこれらを配置する代わりに、着座部とボトムフレームとの間の回転取り付け配置に対してスプリングを配置してもよい。
【００１２】
着座部の前端には、シャッターまたはフラップ１６が、ヒンジ部１７ａ、ｂにおいてヒンジ連結されている。このフラップは、着座部への取り付けとは反対側の端部の、回転取り付け部１８ａ、ｂにおいて、ソファフレーム２に回転可能に取り付けられている。着座部４が一方向に傾斜すると、フラップ１６は、着座部とは逆位相で傾斜し、これにより、着座面または着座平面において「屈曲」または折れを生じ、このシート座面姿勢調整を備える長椅子に座る人の膝の近くの領域の上昇を生じる。このことは、この長椅子に座る人の座り心地を向上する。ユーザーが横になるか、一人以上の人がこの長椅子に座ると、着座部の傾斜が受動姿勢に戻り、一人が横になること、多数の人が座ること、及び人がソファに部分的に腰掛けることを受け入れるのに適した、真っ直ぐに連続する着座面が形成される。
【００１３】
図２は、着座部４が第二のポジションにある長椅子を示し、着座部は、背もたれ３に向かって下降傾斜している。着座部が傾斜すると、背もたれ３に近いクロスバー９は下降傾斜し、フラップ１６に近い横方向バー９は上昇傾斜する。これにより、着座部４に近いフラップ１６は上昇傾斜し、回転可能な取り付け部１８ａ、ｂの周囲を回転し、フラップ１６と着座部４とが、互いに0°より大きい角度を成す。
【００１４】
長椅子またはシェーズロングに対する他の既知の解決策に対して、本発明は、着座部とフラップとが末端部でヒンジ連結され、着座部とフラップとを連結するさらなるヒンジ部１７を備えている点が優れている。この配置は、着座部とフラップとが互いに関して屈曲することを可能とするように、伸張されなければならない。ここでは、これは、長手方向に伸張可能なヒンジ部１７を用いることにより実現される。第一の実施形態では、ヒンジ連結は、フレームに連結するための２つのソケット部品を備えた通常の２部品ヒンジによる、従来のものであってもよい。このヒンジの一端は、フレームにしっかりと固定される一方、他端は、フレームのチューブの中を自由にスライド可能である。両端がチューブの中をスライド可能であってもよい。
【００１５】
これにより、ヒンジ部において、シートが上昇傾斜する場合、フレ−ムがある程度分離する。
【００１６】
このヒンジ部は、図３ａ及び図３ｂに示すような、弾性連結として実現されることが好ましい。これは、弾性ポリマー材料の、チューブ状に形成されたスリーブまたはソケット部品１９で作られる。このソケット部品は、両端に向かう円錐状であり、ネックまたはカラー２０を中央部に備えている。ソケット部品は、チューブの中間部分の壁２１で、完全にまたは部分的に密封されることが好ましい。連結を形成するために、ソケット部品１９は、フレームの二つの部品のそれぞれのパイプ端に挿入され、第一のパイプ端がソケット部品の一端を多少なりとも覆い、第二のパイプ端がソケット部品の第二端を覆う方法で、回転可能な状態で連結される。
【００１７】
この連結は、フレームのパイプ端にソケット部品を挿入するだけであるため、取り付けが容易である。このソケット部品は、一つの部品として作られ、その結果、耐摩耗性を有する。さらに、使用時にきしみ音を立てない。ソケット部品のデザインは、フレーム構造における張力源やストレス源を減らしつつ、ソケット部品に対するパイプ端の長手方向のスライドをある程度可能とする。
【００１８】
図示した実施形態では中空であるが、塊状のソケット部品を形成してもよく、円錐形の両端部と中間部分にカラーとを備える円形で長手方向の部品を形成する。しかしながら、中空デザインは、部品のデザインの大きな自由度の可能性に加えて、中空の横断面に亘る異なるストレス分布に因り、より堅い部品を提供できる。ソケット部品の中間部分の隔壁は、部品をより堅くし、これにより、耐久性と強度とをもたらす。
【００１９】
このソケット部品は、長椅子に関連して示したが、図３に示すようなソケット部品により連結される二つのチューブ状の部品により連結が成される、二つの部品間での回転可能な弾性連結を得ることが望まれる、他の連結に、この部品を用いてもよい。
【先行技術文献】
【特許文献】
【００２０】
US 3,974,630
【図１】
2013530786.tif 000003
【図２】
2013530786.tif 000004
【図３ａ】
2013530786.tif 000005
【図３ｂ】
2013530786.tif 000006
【手続補正書】
【提出日】平成23年12月16日(2011.12.16)
【手続補正１】
【補正対象書類名】特許請求の範囲
【補正対象項目名】全文
【補正方法】変更
【補正の内容】
【特許請求の範囲】
【請求項１】
ソファフレーム（２）と、着座部（４）と、背もたれ（３）と、を含み、前記着座部（４）がサイドバー（９ａ、９ｂ）と、クロスバー（１０ａ、１０ｂ）と、シートスプリング（７）とを含む、長椅子であって、
前記背もたれ（３）は固定され、前記着座部（４）は、取り付け具（８ａ、８ｂ）により、前記着座部の着座面の下方で、前記ソファフレーム（２）に回転可能に連結され、一つ以上の平衡スプリング（１４）が、前記着座部（４）と前記ソファフレーム（２）との間に配置され、シャッターまたはフラップ（１６）が、回転可能な連結部（１７ａ、１７ｂ）により、前記着座部に回転可能に取り付けられ、前記フラップが、前記連結部（１７ａ、１７ｂ）とは反対側の端部の連結部（１８ａ、１８ｂ）で、前記ソファフレームに回転可能に取り付けられること、
を特徴とする長椅子。
【請求項２】
前記回転可能な連結部（１７ａ、１７ｂ）が、弾性である、
請求項１に記載の長椅子。
【請求項３】
回転可能な取り付け配置（８）が、前記ソファフレーム（２）の前端から略1/3の距離に配置される、
請求項１に記載の長椅子。
【請求項４】
両端が円錐状のチューブ状に形成されたスリーブまたはパイプソケット（１９）と、前記パイプソケットの中央部に配置されるカラー（２０）と、を含み、適切なポリマー材料で形成される、弾性連結部（１７）を少なくとも一つ含むこと、
を特徴とする請求項１から３のいずれか１項に記載の長椅子。
【請求項５】
前記チューブ状に形成されたスリーブが、該スリーブを完全にまたは部分的に密封する内部壁（２１）を含む、
請求項４に記載の長椅子。
【国際調査報告】
2013530786.tif 000007
2013530786.tif 000008
2013530786.tif 000009
2013530786.tif 000010
2013530786.tif 000011